(57)【要約】【課題】本発明は加湿装置に関するもので、メンテナンス時の作業性の更なる向上をすることができるものである。【解決手段】目的を達成するために本発明は、吸気口１と排気口２を有する箱形状の本体ケース３と、この本体ケース３内に設けられた送風手段６と加湿手段５とを備え、この加湿手段５は水を溜める水槽９と、この水槽９に水を供給する給水タンク部１０と、水槽９内の水に浸漬された加湿部と、本体ケース３の底面に設けた複数の車輪部７とからなり、水槽９は、本体ケース３の一方側面側から着脱自在な構成とし、車輪部７によって、本体ケース３は水槽９の着脱方向に移動可能とし、車輪部７の一つには、車輪部７の回転を停止させる停止手段１９を備え、この停止手段１９は、水槽９の下部であると共に、本体ケース３における一方側面側に位置する構成としたことを特徴とする加湿装置。【選択図】図１
2014029252.tif 000002
【特許請求の範囲】
【請求項１】
吸気口と排気口を有する箱形状の本体ケースと、この本体ケース内に設けられた送風手段と加湿手段とを備え、この加湿手段は水を溜める水槽と、この水槽に水を供給する給水タンクと、前記水槽内の水に浸漬された加湿部と、前記本体ケースの底面に設けた複数の車輪部とからなり、前記水槽は、前記本体ケースの一方側面側から着脱自在な構成とし、前記車輪部によって、前記本体ケースは前記水槽の着脱方向に移動可能とし、前記車輪部の一つには、車輪部の回転を停止させる停止手段を備え、この停止手段は、前記水槽の下部であると共に、前記本体ケースにおける一方側面側に位置する構成としたことを特徴とする加湿装置。
【請求項２】
前記給水タンクは、前記本体ケースの一方側面側から着脱自在な構成とし、前記停止手段は、前記給水タンクの下方に位置する構成としたことを特徴とする請求項１に記載の加湿装置。
【請求項３】
前記水槽の下部であると共に、前記水槽の取り出し方向側の側面側には、取手部を備え、この取手部の下部には、空間部を設け、この空間部には、前記停止手段が位置する構成としたことを特徴とする請求項１または２に記載の加湿装置。
【請求項４】
前記停止手段は、前記空間部の前記本体ケースにおける背面側に位置する構成としたことを特徴とする請求項３に記載の加湿装置。
【請求項５】
前記空間部は、前記本体ケースにおける背面側に位置し、前記停止手段は、前記空間部内に位置する構成としたことを特徴とする請求項３または４に記載の加湿装置。
【請求項６】
前記停止手段の色は、前記水槽の色と異なることを特徴とする請求項１から５のいずれかに記載の加湿装置。
【請求項７】
前記車輪部は、車輪と、この車輪の中心に回動自在に設けられた回転軸と、この回転軸を固定する前記本体ケースの底面から伸びた軸固定部とからなり、前記停止手段は、前記本体ケースの底面に上下方向へ回動自在に設けられた操作レバー部と、この操作レバー部を第１の姿勢と第２の姿勢とに仮固定する仮固定部とからなり、前記操作レバー部には、前記車輪と接触する接触部を備え、前記仮固定部によって、前記操作レバー部が前記第１の姿勢に仮固定されると、前記接触部と前記車輪との間に空間を有し、前記仮固定部によって、前記操作レバー部が前記第２の姿勢に仮固定されると、前記接触部と前記車輪が接触する構成としたことを特徴とする請求項１から６のいずれかに記載の加湿装置。
【請求項８】
前記車輪部は、車輪と、この車輪の中心に回動自在に設けられた回転軸と、この回転軸を固定する前記本体ケースの底面から伸びた軸固定部とからなり、前記停止手段は、前記本体ケースの底面に水平方向へ可動自在に設けられた操作レバー部と、この操作レバー部を第１の姿勢と第２の姿勢とに仮固定する仮固定部とからなり、前記操作レバー部には、前記車輪と接触する接触部を備え、前記仮固定部によって、前記操作レバー部が前記第１の姿勢に仮固定されると、前記接触部と前記車輪との間に空間を有し、前記仮固定部によって、前記操作レバー部が前記第２の姿勢に仮固定されると、前記接触部と前記車輪が接触する構成とし、前記仮固定部は、前記操作レバー部から伸びると共に上下方向に移動な仮固定操作レバー部と、この仮固定操作レバー部の先端に設けた仮固定操作部と、前記仮固定操作レバー部の途中に設けた仮固定操作レバー側突起部と、前記本体ケースの底面には前記仮固定操作レバー側突起部と接触可能な本体側突起部とからなり、前記仮固定操作レバー側突起部と前記本体側突起部とが接触すると前記操作レバー部が前記第２の姿勢に仮固定されることを特徴とする請求項１から６のいずれかに記載の加湿装置。
【請求項９】
前記操作レバー部は、本体ケースの底面から本体ケースおける一方側面側へ伸び先端に摘み部を有し、この摘み部には、鉛直方向に開口した第１の開口部を備え、この第１の開口部内に、前記仮固定操作部を有することを特徴とする請求項８に記載の加湿装置。
【請求項１０】
前記操作レバー部には、鉛直方向に開口した第２の開口部を備え、この第２の開口部は、前記第１の開口部と連通し、前記仮固定操作レバー部は、前記第１の開口部および前記第２の開口部内に位置する構成とした請求項９に記載の加湿装置。
【請求項１１】
前記仮固定操作部は、前記第１の開口部の下方に位置すると共に、前記仮固定操作部を前記第１の開口部における下方から上方へ移動させると、前記仮固定操作レバー側突起部と本体側突起部とが離れることを特徴とする請求項９または１０に記載の加湿装置。
【発明の詳細な説明】
【技術分野】
【０００１】
本発明は、空気を加湿することのできる加湿装置に関する。
【背景技術】
【０００２】
従来のこの種の加湿装置の構成は、以下のようになっていた。
【０００３】
すなわち、従来の物においては、吸気口と排気口を有する箱形状の本体ケースと、この本体ケース内に設けられた送風手段と加湿手段とを備え、この加湿手段は水を溜める水槽と、この水槽に水を供給する給水部と、前記水槽内の水に浸漬された加湿部とからなり、前記本体ケースの底面には複数の車輪部を備えた構成となっていた。（例えば、これに類似する先行文献は下記特許文献１に記載されている。）
【先行技術文献】
【特許文献】
【０００４】
【特許文献１】特開２０１０−１６４２６５号公報
【発明の概要】
【発明が解決しようとする課題】
【０００５】
上記従来例における課題は、メンテナンス時の作業性の更なる向上ということであった。
【０００６】
すなわち、従来の物においては、加湿装置の移動性を向上させる為に、本体ケースの底に車輪部を備えていた。これにより、加湿装置を移動させる場合には、加湿装置を持ち上げずに、この車輪部によって、移動できるものである。
【０００７】
ところが、車輪部に停止手段を備えていなかったので、不意に動いてしまう場合があった。特に、メンテナンス時に、本体ケースが移動してしまい、メンテナンス時の作業性の更なる向上を目的とするものである。
【課題を解決するための手段】
【０００８】
そしてこの目的を達成するために本発明は、吸気口と排気口を有する箱形状の本体ケースと、この本体ケース内に設けられた送風手段と加湿手段とを備え、この加湿手段は水を溜める水槽と、この水槽に水を供給する給水タンクと、前記水槽内の水に浸漬された加湿部と、前記本体ケースの底面に設けた複数の車輪部とからなり、前記水槽は、前記本体ケースの一方側面側から着脱自在な構成とし、前記車輪部によって、前記本体ケースは前記水槽の着脱方向に移動可能とし、前記車輪部の一つには、車輪部の回転を停止させる停止手段を備え、この停止手段は、前記水槽の下部であると共に、前記本体ケースにおける一方側面側に位置する構成としたことを特徴としたものであり、これにより、初期の目的を達成するものである。
【発明の効果】
【０００９】
以上のように本発明は、吸気口と排気口を有する箱形状の本体ケースと、この本体ケース内に設けられた送風手段と加湿手段とを備え、この加湿手段は水を溜める水槽と、この水槽に水を供給する給水タンクと、前記水槽内の水に浸漬された加湿部と、前記本体ケースの底面に設けた複数の車輪部とからなり、前記水槽は、前記本体ケースの一方側面側から着脱自在な構成とし、前記車輪部によって、前記本体ケースは前記水槽の着脱方向に移動可能とし、前記車輪部の一つには、車輪部の回転を停止させる停止手段を備え、この停止手段は、前記水槽の下部であると共に、前記本体ケースにおける一方側面側に位置する構成としたことを特徴としたものであり、メンテナンス時の作業性の更なる向上ができるものである。
【００１０】
すなわち、車輪部によって、本体ケースは水槽の着脱方向に移動可能とし、車輪部の一つには、車輪部の回転を停止させる停止手段を備え、この停止手段は、水槽の下部であると共に、水槽が着脱自在な本体ケースにおける一方側面側に位置する構成としたので、本体ケースに水槽を着脱する場合に、停止手段の操作が容易になり、メンテナンス時に停止手段によって本体ケースの移動を容易に停止することができる。
【００１１】
これらの結果により、メンテナンス時の作業性の更なる向上をさせることができるものである。
【図面の簡単な説明】
【００１２】
【図１】本発明の実施の形態１の加湿装置の斜視図
【図２】同加湿装置の概略断面を示す図
【図３】同加湿装置の給水タンクの斜視図
【図４】同加湿装置の水槽の概略断面を示す図
【図５】同加湿装置の車輪部の斜視図
【図６】同加湿装置の第１の姿勢における車輪部の斜視図
【図７】同加湿装置の第２の姿勢における車輪部の斜視図
【図８】本発明の実施の形態２の加湿装置の停止手段の斜視図
【図９】同加湿装置の停止手段を示す図
【図１０】同加湿装置の停止手段の第２の姿勢の概略断面を示す図
【図１１】同加湿装置の停止手段の第１の姿勢の概略断面を示す図
【発明を実施するための形態】
【００１３】
以下、本実施形態を添付図面を用いて説明する。
【００１４】
（実施の形態１）
図１から図３に示すように、本実施形態の空気清浄装置は、吸気口１と排気口２を有する本体ケース３と、この本体ケース３内に空気清浄手段４と、この空気清浄手段４の下流側に加湿手段５と、送風手段６とを備えている。本体ケース３の底面には、複数の車輪部７を備えている。
【００１５】
吸気口１は、本体ケース３の前面下部に設けられ、排気口２は、本体ケース３の天面に設けている。
【００１６】
空気清浄手段４は縦長箱形状の空気清浄フィルター４ａで、濾材が蛇腹形状に折られたものであり、吸気口１の風路風下側で、前面化粧板８に対向する位置に設けられている。
【００１７】
加湿手段５は、空気清浄手段４の風路風下側に設けられており、略椀形状の水槽９と、水槽９に常時一定の水位となるように水を供給する給水タンク部１０と、水槽９の水に周縁部の一部が常に浸漬した円板状の加湿部である加湿フィルター部１１と、この加湿フィルター部１１を固定する略円環形状の加湿フィルター枠部１２と、この加湿フィルター枠部１２を回転させる回転手段とから形成されている。
【００１８】
給水タンク部１０は、水槽９に装着可能な構成で、水を貯水可能なタンク１３と、タンクカバー１４とからなる。このタンクカバー１４は、タンク１３の側面に固定され、水平断面形状がＬ形状で、給水タンク部１０を水槽９に装着すると本体ケース３の一部になる。具体的には、本体ケース３の一方側面側、つまり本体ケース３における正面から見て右側面側と、本体ケース３の背面側の本体ケース３の一部になる。
【００１９】
水槽９は、本体ケース３の一方側面側、つまり本体ケース３における正面から見て右側面側から水平方向に着脱自在な構成である。具体的には、給水タンク部１０を取り外した後、本体ケース３の一方側面側から内方へ伸びた空間である加湿装着部に、水槽９をスライドさせて着脱できるものである。
【００２０】
車輪部７は、図４と図５に示すように、本体ケース３の底面の４隅に各１個づつ設け、本体ケース３における水槽９の着脱方向に移動可能である。車輪部７は、弾力性のある車輪１６と、この車輪１６の中心に回動自在に設けられた回転軸１７と、この回転軸１７を固定する本体ケース３の底面から伸びた軸固定部１８とからなり、回転軸１７は、本体ケース３における前後方向に水平に伸びている。
【００２１】
本実施形態における特徴は、車輪部７の一つには、車輪部の回転を停止させる停止手段１９を備え、この停止手段１９は、水槽９の下部であると共に、本体ケース３における一方側面側に位置する構成とした点である。これにより、車輪部７によって、本体ケース３は水槽９の着脱方向に移動可能とし、車輪部７の一つには、車輪部７の回転を停止させる停止手段１９を備え、この停止手段１９は、水槽９の下部であると共に、水槽９が着脱自在な本体ケース３における一方側面側に位置する構成としたので、本体ケース３に水槽９を着脱する場合に、停止手段１９の操作が容易になり、メンテナンス時に停止手段１９によって本体ケース３の移動を容易に停止することができる。
【００２２】
これらの結果により、メンテナンス時の作業性の更なる向上をさせることができるものである。
【００２３】
給水タンク部１０は、図１と図３に示すように、本体ケース３の一方側面側から着脱自在な構成とし、停止手段１９は、給水タンク部１０の下方に位置するものである。給水タンク部１０は、タンクカバー１４の本体ケース３の一方側面側下部には、段差部１５を有している。この段差部１５は、垂直断面形状が、給水タンク部１０における外方下方に開口したＬ形状であり、タンクカバー１４の下部が、タンク１３側へ所定の距離、タンクカバー１４のほぼ厚み分移動して出来たものである。ここで、給水タンク部１０を水槽９に装着する場合には、まず、給水タンク部１０を水槽９に上方から斜めに傾かせながら、タンクカバー１４の段差部１５を水槽９の周縁部の上端に引っ掛ける。次ぎに、段差部１５と水槽９との接触部を回転軸として、本体ケース３外方から内方へ回転させると、給水タンク部１０を水槽９に装着できる。これにより、水槽９に給水タンク部１０を着脱する場合に、停止手段１９の操作が容易になり、メンテナンス時に停止手段１９によって本体ケース３の移動を容易に停止することができる。
【００２４】
図４に示すように、水槽９の下部であると共に、水槽９の取り出し方向側の側面側には、取手部２０を備え、この取手部２０の下部には、空間部２１を設け、この空間部２１には、停止手段１９が位置するものである。これにより、停止手段１９と取手部２０とは、同一の空間である空間部２１に位置するので、水槽９を本体ケース３に着脱する場合に、水槽９の取手部２０に指を掛け、水槽９を着脱するので、停止手段１９の操作が更に、容易になり、メンテナンス時に停止手段１９によって本体ケース３の移動を容易に停止することができる。
【００２５】
停止手段１９は、空間部２１の本体ケース３における背面側に位置するものである。これにより、水槽９を着脱する場合に、作業者は、通常、空間部２１の中央の取手部２０に指を掛け、水槽９を着脱するので、停止手段１９が、邪魔にならない。
【００２６】
空間部２１は、本体ケース３における背面側に位置し、停止手段１９は、空間部２１内に位置するものである。これにより、停止手段１９は、本体ケース３における前面側からは、見え難いので、デザイン性が向上すると共に、本体ケース３における一方側面側からは、見え易いので、操作性が向上する。
【００２７】
停止手段１９の色は、水槽９の色と異なることを特徴とするものである。これにより、操作性が向上する。
【００２８】
停止手段１９は、図５から図７に示すように、本体ケース３の底面に他方側端部と中心として、一方側端部が上下方向へ回動自在に設けられた操作レバー部２２と、この操作レバー部２２を第１の姿勢と第２の姿勢とに仮固定する仮固定部２３とからなる。操作レバー部２２には、車輪１６と接触する接触部２４を備えている。仮固定部２３によって、操作レバー部２２が第１の姿勢に仮固定されると、接触部２４と車輪１６との間に空間を有し、仮固定部２３によって、操作レバー部２２が第２の姿勢に仮固定されると、接触部２４と車輪１６が接触する。すなわち、第１の姿勢では、本体ケース３は移動可能となり、第２の姿勢では、本体ケース３は移動を停止する。
【００２９】
操作レバー部２２は、本体ケース３の底面から、本体ケース３における一方側面側へ伸び、その先端に摘み部２７を有する。この摘み部２７をつかみ、上方向へ回動させると第１の姿勢となり、下方向へ回動させると第２の姿勢となる。これにより、本体ケース３の移動を容易に停止することができる。
【００３０】
接触部２４は、操作レバー部２２の下面に位置し、車輪１６の走行面と接触する第１の接触部２５と、車輪１６の側面を挟み込む第２の接触部２６とからなる。第２の接触部２６は、操作レバー部２２から下方へ伸びた２枚の対向した板である。摘み部２７をつかみ、下方向へ回動させ第２の姿勢にすると、第１の接触部２５は、車輪１６の走行面と接触すると共に、第２の接触部２６は、車輪１６の側面を挟み込み、車輪１６の側面と接触する。この状態によって、車輪１６の回転を止めるのである。
【００３１】
仮固定部２３は、第１の仮固定部２８と、第２の仮固定部２９と、第３の仮固定部３０とからなる。第１の仮固定部は２８、可撓性を有すると共に、操作レバー部２２の側面を挟み込むものである。第２の仮固定部２９は、操作レバー部２２の側面から外方へ伸びと共に、第１の姿勢において第１の仮固定部２８と当接するものである。第３の仮固定部３０は、本体ケース３の底面に設けると共に、第１の姿勢から第２の姿勢に変わる途中で、第２の接触部２６の下端に当接するものである。
【００３２】
第１の仮固定部２８は、本体ケース３の底面から下方へ伸びた垂直断面形状がＬ字型である２枚の対向した板で、内方へそれぞれの先端が伸びた形状である。この先端が、第１の姿勢において、第２の仮固定部２９の下面に当接する。これにより、操作レバー部２２が第１の姿勢に仮固定されている。この状態で、摘み部２７をつかみ、下方向へ回動させると、第２の接触部２６が外方へ撓みながら車輪１６の側面を挟み込むと共に、第１の仮固定部２８が外方へ撓みながら、第２の仮固定部２９を乗り越え、操作レバー部２２の下面が車輪１６の走行面と接触しながら、第１の仮固定部２８の先端が、一瞬、第３の仮固定部３０が第２の接触部２６の下端に当接する。次に、車輪１６の弾力性によって上方へ付勢されることによって、第１の仮固定部２８の先端が、第２の仮固定部２９の上面に当接すると共に、第２の姿勢となる。これによって、本体ケース３の移動を容易に停止することができる。
【００３３】
（実施の形態２）
以下、本発明の実施の形態２における加湿装置について図面を参照しながら説明する。なお、実施の形態１の構成と同様の構成を有するものについては、同一符号を付してその説明を省略する。
【００３４】
実施の形態１と相違する点は、図８に示す停止手段３１である。停止手段３１は、図９から図１１に示すように、本体ケース３の底面に他方側端部と中心として、一方側端部が水平方向へ移動自在に設けられた操作レバー部３２と、この操作レバー部３２を第１の姿勢と第２の姿勢とに仮固定する仮固定部３３とからなる。
【００３５】
操作レバー部３２には、車輪１６と接触する接触部３４を備えている。仮固定部３３によって、操作レバー部３２が第１の姿勢に仮固定されると、接触部３４と車輪１６との間に空間を有し、仮固定部３３によって、操作レバー部３２が第２の姿勢に仮固定されると、接触部３４と車輪１６が接触する。すなわち、第１の姿勢では、本体ケース３は移動可能となり、第２の姿勢では、本体ケース３は移動を停止する。
【００３６】
操作レバー部３２は、本体ケース３の底面から、本体ケース３における一方側面側へ伸び、その先端に摘み部３５を有する。この摘み部３５をつかみ、水平方向で本体ケース３における一方側面側へ移動させると第１の姿勢となり、水平方向で本体ケース３における他方側面側へ移動させると第２の姿勢となる。これにより、本体ケース３の移動を容易に停止することができる。
【００３７】
接触部３４は、操作レバー部３２の下面に位置し、車輪１６の走行面と接触する第１の接触部３６と、車輪１６の側面を挟み込む第２の接触部３７とからなる。第２の接触部３７は、操作レバー部３２から下方へ伸びた２枚の対向した板である。摘み部３５をつかみ、水平方向で本体ケース３における他方側へ移動させ第２の姿勢にすると、第１の接触部３６は、車輪１６の走行面と接触すると共に、第２の接触部３７は、車輪１６の側面を挟み込み、車輪１６の側面と接触する。この状態によって、車輪１６の回転を止めるのである。
【００３８】
仮固定部３３は、仮固定操作レバー部３８と、仮固定操作部３９と、仮固定操作レバー側突起部４０と、本体側突起部４１とから構成している。
【００３９】
仮固定操作レバー部３８は、操作レバー部から水平方向で本体ケース３における一方側へ伸び、途中に段差部４２を有する略細長平板形状である。垂直断面形状は、横長四角形状で、仮固定操作レバー部３８自体が上下方向に弾性変形し、撓むものである。これにより、仮固定操作レバー部３８と仮固定操作部３９とが、上下方向に移動可能である。
【００４０】
仮固定操作部３９は、平板形状で、仮固定操作レバー部３８の先端に設けられている。この仮固定操作部３９の下面を指で押し上げると、仮固定操作レバー部３８が撓み、仮固定操作部３９が上へ移動する。ここで、指を仮固定操作部の下面から離すと、仮固定操作レバー部３８の撓みが元に戻り、仮固定操作部３９ももとに位置へ戻る。
【００４１】
仮固定操作レバー側突起部４０は、仮固定操作レバー部３８の下面の途中にから下方の突出した突起である。
【００４２】
本体側突起部４１は、本体ケース３の底面から伸び、その先端は、下方から上方へ伸びた爪部４３を有している。この爪部４３の本体ケースにおける他方側と、仮固定操作レバー側突起部４０とが接触可能な構成である。このように、仮固定操作レバー側突起部４０と本体側突起部４１とが接触すると操作レバー部３２が第２の姿勢に仮固定される。
【００４３】
本実施形態における特徴は、操作レバー部３２は、水平方向に移動可能であり、操作レバー部３２から伸びる仮固定操作レバー部３８は、上下方向に移動可能な構造にある。
【００４４】
すなわち、操作レバー部３２の移動方向と、仮固定操作レバー部３８の移動方向が異なるので、本体ケース３が押され、車輪１６が回転しようとした場合にも、操作レバー部３２には、水平方向に移動する力しか働かないので、仮固定操作レバー部３８が上下方向に移動することが無い。
【００４５】
これにより、本体ケースが押された場合にも、車輪１６の回転をより確実に停止できる。
【００４６】
また、操作レバー部３２は、本体ケース３の底面から本体ケース３おける一方側面側へ伸びると共に、先端に摘み部３５を有している。この摘み部３５には、鉛直方向に開口した第１の開口部４４を備えている。この第１の開口部４４内に、仮固定操作部３９を有するものである。
【００４７】
これにより、操作レバー部３２の摘み部３５を摘むと、操作レバー部３２を水平方向に移動できると同時に、仮固定操作レバー部３８を上下方向に移動できるものである。
【００４８】
また、操作レバー部３２には、鉛直方向に開口した第２の開口部４５を備えている。この第２の開口部４５は、第１の開口部４４と連通している。仮固定操作レバー部３８は、第１の開口部４４および第２の開口部４５内に位置するものであるこれにより、停止手段３１をコンパクトにできる。
【００４９】
また、仮固定操作部３９を第１の開口部４４における下方から上方へ移動させると、仮固定操作レバー側突起部４０と本体側突起部４１とが離れる。この状態で、摘み部３５をつかみ、水平方向で本体ケース３における一方側面側へ移動させると第１の姿勢となる。ここで、本体ケース３における下部に位置する摘み部３５を摘む場合には、一般的に、人差し指と親指で摘む。人差し指が、摘み部３５の下面から、親指が、摘み部３５の上面から摘み部３５を摘むのである。仮固定操作部３９は、第１の開口部４４の下方に位置するので、仮固定操作部３９を操作する指は、人差し指となる。人は、親指より人差し指を器用に動かせるので、仮固定操作部３９の操作性が向上する。
【００５０】
また、仮固定操作部３９を第１の開口部４４における下方から上方へ移動させると、仮固定操作レバー側突起部４０と本体側突起部４１とが離れた状態でも、仮固定操作部３９は、操作レバー部３２の上面から突出せず、第１の開口部４４内に位置する。これにより、停止手段３１をコンパクトにできる。
【産業上の利用可能性】
【００５１】
以上のように本発明は、吸気口と排気口を有する箱形状の本体ケースと、この本体ケース内に設けられた送風手段と加湿手段とを備え、この加湿手段は水を溜める水槽と、この水槽に水を供給する給水タンクと、前記水槽内の水に浸漬された加湿部と、前記本体ケースの底面に設けた複数の車輪部とからなり、前記水槽は、前記本体ケースの一方側面側から着脱自在な構成とし、前記車輪部によって、前記本体ケースは前記水槽の着脱方向に移動可能とし、前記車輪部の一つには、車輪部の回転を停止させる停止手段を備え、この停止手段は、前記水槽の下部であると共に、前記本体ケースにおける一方側面側に位置する構成としたことを特徴としたものであり、メンテナンス時の作業性の更なる向上ができるものである。
【００５２】
すなわち、車輪部によって、本体ケースは水槽の着脱方向に移動可能とし、車輪部の一つには、車輪部の回転を停止させる停止手段を備え、この停止手段は、水槽の下部であると共に、水槽が着脱自在な本体ケースにおける一方側面側に位置する構成としたので、本体ケースに水槽を着脱する場合に、停止手段の操作が容易になり、メンテナンス時に停止手段によって本体ケースの移動を容易に停止することができる。
【００５３】
これらの結果により、メンテナンス時の作業性の更なる向上をさせることができるものである。
【００５４】
従って、家庭用や事務所用などの、加湿装置として活用が期待されるものである。
【符号の説明】
【００５５】
１    吸気口
２    排気口
３    本体ケース
４    空気清浄手段
５    加湿手段
６    送風手段
７    車輪部
８    前面化粧板
９    水槽
１０  給水タンク部
１１  加湿フィルター部
１２  加湿フィルター枠部
１３  タンク
１４  タンクカバー
１５  段差部
１６  車輪
１７  回転軸
１８  軸固定部
１９  停止手段
２０  取手部
２１  空間部
２２  操作レバー部
２３  仮固定部
２４  接触部
２５  第１の接触部
２６  第２の接触部
２７  摘み部
２８  第１の仮固定部
２９  第２の仮固定部
３０  第３の仮固定部
３１  停止手段
３２  操作レバー部
３３  仮固定部
３４  接触部
３５  摘み部
３６  第１の接触部
３７  第２の接触部
３８  仮固定操作レバー部
３９  仮固定操作部
４０  仮固定操作レバー側突起部
４１  本体側突起部
４２  段差部
４３  爪部
４４  第１の開口部
４５  第２の開口部
【図１】
2014029252.tif 000003
【図２】
2014029252.tif 000004
【図３】
2014029252.tif 000005
【図４】
2014029252.tif 000006
【図５】
2014029252.tif 000007
【図６】
2014029252.tif 000008
【図７】
2014029252.tif 000009
【図８】
2014029252.tif 000010
【図９】
2014029252.tif 000011
【図１０】
2014029252.tif 000012
【図１１】
2014029252.tif 000013